(57)【要約】    【課題】  動画撮影中に静止画撮影を行うときに、表示部により表示された静止画を視認しながら静止画撮影することができる撮像装置を提供する。    【解決手段】  撮像装置１００は、動画及び静止画を表示するディスプレイ１２０と、動画用ＣＣＤ１０５を駆動するＣＣＤ駆動部１０７と、静止画用ＣＣＤ１０６を駆動するＣＣＤ駆動部１０８と、動画の撮影を開始する動画用トリガスイッチ１１６と、静止画の撮影及び動画撮影時にディスプレイ１２０における表示を静止画に切り換える静止画用２段押圧式レリーズスイッチ１１７とを備える。動画撮影中に静止画撮影を行うときに、静止画用２段押圧式レリーズスイッチ１１７が半押しされるとディスプレイ１２０の表示モードが動画モードから静止画モードに切り換わる。【選択図】      図１
2005323302.tif 000002
【特許請求の範囲】
【請求項１】
第１の画像データを取得する第１のイメージセンサと、第２の画像データを取得する第２のイメージセンサと、前記第１の画像データ及び前記第２の画像データを表示する表示部と、前記表示部による表示を切り換える切り換え手段とを備える撮像装置において、前記切り換え手段は、前記切り換え手段の状態に応じて前記表示部の表示を前記第１の画像データから前記第２の画像データに切り換えることを特徴とする撮像装置。
【請求項２】
前記第１の画像データは動画データであり、前記第２の画像データは静止画データであることを特徴とする請求項１記載の撮像装置。
【請求項３】
前記切り換え手段は２段押圧式レリーズスイッチを備えることを特徴とする請求項１又は２記載の撮像装置。
【請求項４】
前記２段押圧式レリーズスイッチは、半押し状態のときに、前記表示部による表示を前記第１の画像データから前記第２の画像データに切り換えることを特徴とする請求項３記載の撮像装置。
【請求項５】
前記表示部により表示された第２の画像データの露出やホワイトバランスの値を変更する変更手段をさらに備えることを特徴とする請求項１乃至４のいずれか１項に記載の撮像装置。
【請求項６】
前記第２のイメージセンサは前記第１のイメージセンサよりも画素数が多いことを特徴とする請求項１乃至５のいずれか１項に記載の撮像装置。
【発明の詳細な説明】
【技術分野】
【０００１】
本発明は、撮像装置に関し、特に、動画及び静止画を同時に記録することができる２板の撮像素子を備える撮像装置に関するものである。
【背景技術】
【０００２】
ビデオカメラによる動画撮影中に、特定のシーンを静止画で撮影したいという要求に応えるべく、ビデオカメラに組み込まれたスチルカメラの操作により、ビデオカメラによる動画撮影を中断することなく、静止画（スチル）撮影を可能にするスチルカメラ付きビデオカメラが従来より提案されている(例えば、特許文献１参照)。
【０００３】
上記スチルカメラ付きビデオカメラは、動画撮影中に静止画撮影を行うときに、動画撮影を継続したままディスプレイの表示モードを動画モードから静止画モードへ切り換えることはできなかったが、斯かる問題を解決すべく、静止画撮影直後にディスプレイの表示モードを動画モードから静止画モードに切り換えて撮影した静止画を視認することができる複合カメラが提案されている（例えば、特許文献２参照）。
【特許文献１】特許２５７３６００号公報
【特許文献２】特開平０９−２００５８８号公報
【発明の開示】
【発明が解決しようとする課題】
【０００４】
しかしながら、上記複合カメラでは、静止画撮影時におけるディスプレイの表示モードは動画モードのままであり、実際に撮影する静止画をディスプレイにより視認しながら撮影することができなかった。
【０００５】
また、ディスプレイに表示されている動画と実際に撮影する静止画とでは露出及びホワイトバランスの基準となる目標値が相違するため、静止画撮影時における露出及びホワイトバランスの設定値が所望の値になっていないことがあった。
【０００６】
本発明の目的は、動画撮影中に静止画撮影を行うときに、表示部により表示された静止画を視認しながら静止画撮影することができる撮像装置を提供することにある。
【課題を解決するための手段】
【０００７】
上記目的を達成するために、請求項１記載の撮像装置は、第１の画像データを取得する第１のイメージセンサと、第２の画像データを取得する第２のイメージセンサと、前記第１の画像データ及び前記第２の画像データを表示する表示部と、前記表示部による表示を切り換える切り換え手段とを備える撮像装置において、前記切り換え手段は、前記切り換え手段の状態に応じて前記表示部の表示を前記第１の画像データから前記第２の画像データに切り換えることを特徴とする。
【０００８】
請求項２記載の撮像装置は、請求項１記載の撮像装置において、前記第１の画像データは動画データであり、前記第２の画像データは静止画データであることを特徴とする。
【０００９】
請求項３記載の撮像装置は、請求項１又は２記載の撮像装置において、請求項１又は２記載の撮像装置において、前記切り換え手段は２段押圧式レリーズスイッチを備えることを特徴とする。
【００１０】
請求項４記載の撮像装置は、請求項３記載の撮像装置において、前記２段押圧式レリーズスイッチは、半押し状態のときに、前記表示部による表示を前記第１の画像データから前記第２の画像データに切り換えることを特徴とする。
【００１１】
請求項５記載の撮像装置は、請求項１乃至４のいずれか１項に記載の撮像装置において、前記表示部により表示された第２の画像データの露出やホワイトバランスの値を変更する変更手段をさらに備えることを特徴とする。
【００１２】
請求項６記載の撮像装置は、請求項１乃至５のいずれか１項に記載の撮像装置において、前記第２のイメージセンサは前記第１のイメージセンサよりも画素数が多いことを特徴とする。
【発明の効果】
【００１３】
請求項１記載の撮像装置によれば、切り換え手段の状態に応じて表示部の表示を第１の画像データから第２の画像データに切り換えるので、第１の画像データの取得中に第２の画像データの取得を行うときに、表示部の表示を任意に切り換えることができ、もって表示部により表示された第２の画像データを視認しながら第２の画像データを取得することができる。
【００１４】
請求項４記載の撮像装置によれば、２段押圧式レリーズスイッチは、半押し状態のときに、表示部による表示を第１の画像データから第２の画像データに切り換えるので、表示部により表示された第２の画像データを容易に視認することができる。
【００１５】
請求項５記載の撮像装置によれば、表示部により表示された第２の画像データの露出やホワイトバランスの値が変更されるので、所望の第２の画像データを取得することができる。
【発明を実施するための最良の形態】
【００１６】
以下、本発明の実施の形態を図面を参照しながら詳述する。
【００１７】
図１は、本発明の実施の形態に係る撮像装置の構成を概略的に示すブロック図である。
【００１８】
図１において、本実施の形態に係る撮像装置１００は、２枚の撮像素子（後述する１０５及び１０６）を備え、詳しくは、被写体からの光を集光するレンズ１０１と、レンズ１０１で集光された光を絞る絞り１０２と、絞り１０２で絞られた光を動画（Ｍｏｖｉｅ）用光と静止画（Ｓｔｉｌｌ）用光に分光するハーフミラー１０３と、ハーフミラー１０３からの動画用光を受光して、結像面上に被写体像として結像された光信号を映像信号に変換する動画用ＣＣＤ１０５と、動画用ＣＣＤ１０５で変換された映像信号に所定の処理を施す動画信号処理部１１４と、動画信号処理部１１４により所定の処理が施された動画信号を記録する磁気テープ１１９と、ハーフミラー１０３からの静止画用光をシャッタ１０４を介して受光して、結像面上に被写体像として結像された光信号を映像信号に変換する静止画用ＣＣＤ１０６と、静止画用ＣＣＤ１０６で変換された映像信号に所定の処理を施す静止画信号処理部１１５と、静止画信号処理部１１５により所定の処理が施された静止画信号を記録するメモリカード１１８とを備える。
【００１９】
撮像装置１００は、また、露出制御部１１０及びホワイトバランス（ＷＢ）制御部１１１から成るカメラマイコン１０９と、カメラマイコン１０９に夫々接続された、動画用ＣＣＤ１０５を駆動するＣＣＤ駆動部１０７、シャッタ１０４を駆動するシャッタ駆動部１１２、及び静止画用ＣＣＤ１０６を駆動するＣＣＤ駆動部１０８とを備える。
【００２０】
撮像装置１００は、さらに、動画及び静止画を表示するディスプレイ１２０と、絞り１０２を駆動する絞り駆動部１１３と、動画の撮影を開始する動画用トリガスイッチ１１６と、静止画撮影及び動画撮影時にディスプレイ１２０における表示を静止画に切り換える静止画用２段押圧式レリーズスイッチ１１７とを備え、これらはカメラマイコン１０９に接続されている。
【００２１】
カメラマイコン１０９は、ＣＣＤ駆動部１０７及びＣＣＤ駆動部１０８を介して、動画用ＣＣＤ１０５及び静止画用ＣＣＤ１０６におけるデータの蓄積及び読み出しなどの制御を行い、露出制御部１１０により絞り駆動部１１３を介して絞り１０２の制御を行い、ホワイトバランス制御部１１１により動画用信号処理部１１４及び静止画用信号処理部１１５を介してホワイトバランスの制御を行い、ディスプレイ１２０の表示モード（動画モード又は静止画モード）の切り換え制御を行う。
【００２２】
静止画用２段押圧式レリーズスイッチ１１７は、半押し状態のときにレリーズ待機状態となり、全押し状態のときにレリーズ状態となるように２段階で押圧操作されるボタンで構成される。動画撮影中に静止画撮影を行うときに、静止画用２段押圧式レリーズスイッチ１１７を半押しするとディスプレイ１２０の表示モードが動画モードから静止画モードに切り換わる。
【００２３】
さらに、カメラマイコン１０９は、静止画用２段押圧式レリーズスイッチ１１７が全押し状態のときにシャッタ駆動部１１２を介してシャッタ１０４を切るタイミングの制御を行う。
【００２４】
図２は、図１における撮像装置１００によって実行される撮像処理のフローチャートである。
【００２５】
本処理は、カメラマイコン１０９が記憶された制御プログラムを実行することによって実現される。
【００２６】
動画撮影を開始し（ステップＳ１０１）、２段押圧式レリーズスイッチ１１７が半押しされると（ステップＳ１０２でＹＥＳ）、静止画撮影を要求し (ステップＳ１０３)、ディスプレイ１２０の表示モードを動画モードから静止画モードに切り換え (ステップＳ１０４)、その後、静止画用２段押圧式レリーズスイッチ１１７が全押しされたか否かを判別し（ステップＳ１０５）、全押しされたときは、静止画撮影を行って（ステップＳ１０８）、本処理を終了する。
【００２７】
ステップＳ１０５の判別の結果、静止画用２段押圧式レリーズスイッチ１１７が半押し状態のまま、全押しされていないときは、メニューモードに進んで、静止画撮影がキャンセルされたか否かを判別し（ステップＳ１０６）、静止画撮影がキャンセルされていないときは、カメラマイコン１０９における露出制御部１１０やホワイトバランス制御部１１１により露出（ＡＥ）やホワイトバランス（ＷＢ）の設定値を変更して(ステップＳ１０７)、ステップＳ１０５以降の処理を繰り返す。
【００２８】
一方、ステップＳ１０６の判別の結果、静止画撮影がキャンセルされたときは、初期状態に戻り、ステップＳ１０２以降の処理を繰り返す。
【００２９】
ディスプレイ１２０の表示モードを動画モードから静止画モードに切り換えた（ステップＳ１０４）後に、静止画用２段押圧式レリーズスイッチ１１７を全押し（ステップＳ１０５でＹＥＳ）、即ち、静止画撮影する（ステップＳ１０８）ので、ユーザは表示された静止画を視認しながら露出やホワイトバランスを確認することができる。
【００３０】
また、上記確認の際、所望の静止画が得られていないとユーザが判断した場合は、静止画用２段押圧式レリーズスイッチ１１７を全押しせずに（ステップＳ１０５でＮＯ）、メニューモードに進んで、所望の静止画が得られるまで(ステップＳ１０６でＮＯ)、露出（ＡＥ）やホワイトバランス（ＷＢ）の設定値を変更した後 (ステップＳ１０７)、静止画撮影用２段押圧式レリーズスイッチ１１７を全押しして（ステップＳ１０５でＹＥＳ）、静止画撮影を行う（ステップＳ１０８）ことにより、所望の静止画を撮影することができる。
【００３１】
また、静止画用２段押圧式レリーズスイッチ１１７を全押しせずに（ステップＳ１０５でＮＯ）、キャンセル状態を選択する(ステップＳ１０６でＹＥＳ) ことにより、静止画撮影を中止することもできる。
【００３２】
図２の処理によれば、静止画用２段押圧式レリーズスイッチ１１７が半押しされると（ステップＳ１０２でＹＥＳ）、ディスプレイ１２０の表示モードが動画モードから静止画モードに切り換わる(ステップＳ１０４)ので、動画撮影中に静止画撮影を行うときに、ディスプレイ１２０の表示を任意に切り換えることができ、もってディスプレイ１２０により表示された静止画を視認しながら静止画撮影することができる。
【００３３】
図２の処理によれば、さらに、ディスプレイ１２０により表示された静止画の露出やホワイトバランスの値が変更される (ステップＳ１０７) ので、所望の静止画撮影を行うことができる。
【図面の簡単な説明】
【００３４】
【図１】本発明の実施の形態に係る撮像装置の構成を概略的に示すブロック図である。
【図２】図１における撮像装置１００によって実行される撮像処理のフローチャートである。
【符号の説明】
【００３５】
１００  撮像装置
１０２  絞り
１０４  シャッタ
１０５  動画用ＣＣＤ
１０６  静止画用ＣＣＤ
１０７  ＣＣＤ駆動部
１０８  ＣＣＤ駆動部
１０９  カメラマイコン
１１２  シャッタ駆動部
１１３  絞り駆動部
１１６  動画用トリガスイッチ
１１７  静止画用２段押圧式レリーズスイッチ
１２０  ディスプレイ
【図１】
2005323302.tif 000003
【図２】
2005323302.tif 000004